(57)【要約】【課題】直感的な操作が可能な操作装置を提供する。【解決手段】複数の操作領域を有する操作面と、前記操作面に対する被検出体の接触位置を検出可能なセンサ部と、を備える入力手段（入力装置）１００、２００と、複数の表示領域を備える表示手段（表示装置）５００と、前記センサ部が検出した前記被検出体の接触位置に基づいて、所定の電子機器を制御し、また、前記複数の表示領域の少なくとも１つに表示される表示画像を切り換える制御手段と、を備える操作装置１０００である。前記複数の表示領域は立体的に配置され、前記複数の操作領域は立体的に形成され、前記複数の操作領域の少なくとも１つは、前記複数の表示領域のいずれかの形状と略相似する形状からなる。【選択図】  図２
2014043232.tif 000002
【特許請求の範囲】
【請求項１】
複数の操作領域を有する操作面と、前記操作面に対する被検出体の接触位置を検出可能なセンサ部と、を備える入力手段と、
複数の表示領域を備える表示手段と、
前記センサ部が検出した前記被検出体の接触位置に基づいて、所定の電子機器を制御し、また、前記複数の表示領域の少なくとも１つに表示される表示画像を切り換える制御手段と、を備える操作装置であって、
前記複数の表示領域は立体的に配置され、
前記複数の操作領域は立体的に形成され、
前記複数の操作領域の少なくとも１つは、前記複数の表示領域のいずれかの形状と略相似する形状からなることを特徴とする操作装置。
【請求項２】
複数の操作領域を有する操作面と、前記操作面に対する被検出体の接触位置を検出可能なセンサ部と、を備える入力手段と、
複数の表示領域を備える表示手段と、
前記センサ部が検出した前記被検出体の接触位置に基づいて、所定の電子機器を制御し、また、前記複数の表示領域の少なくとも１つに表示される表示画像を切り換える制御手段と、を備える操作装置であって、
前記複数の表示領域は立体的に配置され、
前記複数の操作領域は立体的に形成され、
前記操作面に形成され前記複数の操作領域を分割する第１の立体識別部は、前記複数の表示領域を分割する第２の立体識別部の形状と略相似する形状からなることを特徴とする操作装置。
【請求項３】
前記入力手段は、ステアリングに搭載され、
前記複数の表示領域は、前記入力手段の上方に配置され、
前記複数の操作領域の少なくとも１つは、その上方に位置する表示領域の形状と略相似する形状からなることを特徴とする請求項１に記載の操作装置。
【請求項４】
前記入力手段は、ステアリングに搭載され、
前記複数の表示領域は、前記入力手段の上方に配置され、
前記第１の立体識別部は、その上方に位置する前記第２の立体識別部の形状と略相似する形状からなることを特徴とする請求項２に記載の操作装置。
【請求項５】
前記複数の操作領域は、それぞれ表面の触感が異なるように形成されてなることを特徴とする請求項１から請求項４のいずれかに記載の操作装置。
【請求項６】
前記複数の操作領域の少なくとも１つは、その表面に前記複数の表示領域のいずれかの形状の一部を模した意匠部が形成されてなることを特徴とする請求項１または請求項２に記載の操作装置。
【請求項７】
前記制御手段は、前記センサ部が検出した前記被検出体の接触位置に基づいて、前記被検出体が接触した操作領域と連携する表示領域を強調する強調画像を前記表示手段に表示させることを特徴とする請求項１または請求項２に記載の操作装置。
【請求項８】
前記表示手段は、前記複数の表示領域の少なくとも１つに前記表示画像として所定形状のアイコン画像を表示し、
前記複数の操作領域の少なくとも１つは、前記アイコン画像と略相似する立体的な形状からなるアイコン操作部が形成されてなることを特徴とする請求項１または請求項２に記載の操作装置。
【請求項９】
前記表示手段は、表示光を発する投射型表示器と、前記複数の表示領域を構成し、前記表示光が投影されて前記表示画像を表示する複数のスクリーンと、を備えてなることを特徴とする請求項１から請求項８のいずれかに記載の操作装置。
【請求項１０】
前記制御手段は、前記センサ部が検出した前記被検出体の軌跡と略一致する方向及び速度で前記表示画像を切り換えることを特徴とする請求項１から請求項９のいずれかに記載の操作装置。
【発明の詳細な説明】
【技術分野】
【０００１】
本発明は、車両に搭載される操作装置に関するものである。
【背景技術】
【０００２】
例えば特許文献１には、車両搭載機器の処理内容を選択させる複数の選択肢を表示する表示手段と、ステアリングホイールを構成するステアリングスポーク上に設置され、表示手段の表示内容と略相似形状に分割された検出領域を有し、操作者の操作指の接触位置に対応した検出領域を示す操作情報を生成する入力操作手段と、を備え、入力操作手段により生成された操作情報に基づいて、操作者の操作指の接触位置に対応した検出領域と相似的に対応した選択肢を決定し、車両搭載機器を制御する技術が開示されている。
【先行技術文献】
【特許文献】
【０００３】
【特許文献１】特開２００５−９６５１９号公報
【発明の開示】
【発明が解決しようとする課題】
【０００４】
しかしながら、特許文献１に開示された技術では、操作者は表示手段の表示画面を見ながら入力操作ができるものの、表示手段の表示画面と入力操作手段の検出面とはいずれも平坦な形状であって、検出面を見ることなく直感的な操作を行うには表示画面と操作面との対応づけが不十分であり、なお改良の余地があった。
【０００５】
そこで、本発明は、上述した課題に着目してなされたものであり、直感的な操作を行うことが可能な操作装置を提供することを目的とするものである。
【課題を解決するための手段】
【０００６】
本発明は、前記課題を解決するため、複数の操作領域を有する操作面と、前記操作面に対する被検出体の接触位置を検出可能なセンサ部と、を備える入力手段と、
複数の表示領域を備える表示手段と、
前記センサ部が検出した前記被検出体の接触位置に基づいて、所定の電子機器を制御し、また、前記複数の表示領域の少なくとも１つに表示される表示画像を切り換える制御手段と、を備える操作装置であって、
前記複数の表示領域は立体的に配置され、
前記複数の操作領域は立体的に形成され、
前記複数の操作領域の少なくとも１つは、前記複数の表示領域のいずれかの形状と略相似する形状からなることを特徴とする。
【０００７】
本発明は、前記課題を解決するため、
複数の操作領域を有する操作面と、前記操作面に対する被検出体の接触位置を検出可能なセンサ部と、を備える入力手段と、
複数の表示領域を備える表示手段と、
前記センサ部が検出した前記被検出体の接触位置に基づいて、所定の電子機器を制御し、また、前記複数の表示領域の少なくとも１つに表示される表示画像を切り換える制御手段と、を備える操作装置であって、
前記複数の表示領域は立体的に配置され、
前記複数の操作領域は立体的に形成され、
前記操作面に形成され前記複数の操作領域を分割する第１の立体識別部は、前記複数の表示領域を分割する第２の立体識別部の形状と略相似する形状からなることを特徴とする。
【０００８】
また、前記入力手段は、ステアリングに搭載され、
前記複数の表示領域は、前記入力手段の上方に配置され、
前記複数の操作領域の少なくとも１つは、その上方に位置する表示領域の形状と略相似する形状からなることを特徴とする。
【０００９】
また、前記入力手段は、ステアリングに搭載され、
前記複数の表示領域は、前記入力手段の上方に配置され、
前記第１の立体識別部は、その上方に位置する前記第２の立体識別部の形状と略相似する形状からなることを特徴とする。
【００１０】
また、前記複数の操作領域は、それぞれ表面の触感が異なるように形成されてなることを特徴とする。
【００１１】
また、前記複数の操作領域の少なくとも１つは、その表面に前記複数の表示領域のいずれかの形状の一部を模した意匠部が形成されてなることを特徴とする。
【００１２】
前記制御手段は、前記センサ部が検出した前記被検出体の接触位置に基づいて、前記被検出体が接触した操作領域と連携する表示領域を強調する強調画像を前記表示手段に表示させることを特徴とする。
【００１３】
また、前記表示手段は、前記複数の表示領域の少なくとも１つに前記表示画像として所定形状のアイコン画像を表示し、前記複数の操作領域の少なくとも１つは、前記アイコン画像と略相似する立体的な形状からなるアイコン操作部が形成されてなることを特徴とする。
【００１４】
また、前記表示手段は、表示光を発する投射型表示器と、前記複数の表示領域を構成し、前記表示光が投影されて前記表示画像を表示する複数のスクリーンと、を備えてなることを特徴とする。
【００１５】
また、前記制御手段は、前記センサ部が検出した前記被検出体の軌跡と略一致する方向及び速度で前記表示画像を切り換えることを特徴とする。
【発明の効果】
【００１６】
本発明は、直感的な操作を行うことが可能となる。
【図面の簡単な説明】
【００１７】
【図１】本発明の実施形態である操作装置の電気的構成を示す図。
【図２】操作装置が搭載される車両内の運転席付近の概観を示す図。
【図３】第１の入力装置の正面図及びＡ−Ａ断面図。
【図４】センサシートが有する第１のセンサ列及び第２のセンサ列を説明する図。
【図５】第２の入力装置の正面図及びＢ−Ｂ断面図。
【図６】表示装置を示す斜視図。
【図７】第１の操作領域に対するジェスチャ操作と、それに応じて更新される表示装置の表示画像の一例を示す図。
【図８】第２の操作領域に対するタッチ操作と、それに応じて更新される表示装置の表示画像の一例を示す図。
【図９】第２の操作領域に対するジェスチャ操作と、それに応じて更新される表示装置の表示画像の一例を示す図。
【図１０】第３の操作領域に対するジェスチャ操作と、それに応じて更新される表示装置の表示画像の一例を示す図。
【図１１】第４の操作領域に対するタッチ操作と、それに応じて更新される表示装置の表示画像の一例を示す図。
【図１２】第４の操作領域に対するジェスチャ操作と、それに応じて更新される表示装置の表示画像の一例を示す図。
【図１３】本発明の他の実施形態の一例を示す図。
【図１４】本発明の他の実施形態の一例を示す図。
【図１５】本発明の他の実施形態の一例を示す図。
【図１６】本発明の他の実施形態の一例を示す図。
【発明を実施するための形態】
【００１８】
以下、本発明を適用した実施形態を添付図面に基づいて説明する。
本実施形態に係る操作装置は、図１に示す、車両１に搭載される操作装置１０００である。車両１のユーザ（通常、運転者）が、第１、第２の入力装置（入力手段）１００、２００を操作すると、制御部（制御手段）３００は、その操作に応じた各種動作を車載電子機器２０に実行させ、また、操作あるいは各種動作の結果に応じた画像を表示装置（表示手段）５００に表示させる。
【００１９】
（車両１の構成）
車両１は、図２に示すように、ステアリング１０を備える。
【００２０】
ステアリング１０は、車両１の操舵装置の一部であり、本体部１１と、ステアリングホイール１２と、を備える。
【００２１】
本体部１１は、車両１の図示しないステアリングシャフトと接続されるスポーク部であり、ユーザから見て右側に第１の入力装置１００を備え、左側に第２の入力装置２００を備える。また、本体部３１には、それぞれ第１、第２の入力装置１００、２００の形状にあわせた取付孔（図示せず）が形成されている。各取付孔に第１、第２の入力装置１００、２００が取り付けられることにより、第１、第２の入力装置１００、２００の後述する操作面のみが露出する。
【００２２】
ステアリングホイール１２は、本体部１１に取り付けられる、運転者が車両１を操舵する際に握るリング形状の部材である。
【００２３】
車載電子機器２０は、オーディオ装置、カーナビゲーション装置等であり、車両１のインパネ内にはめ込まれる電子機器のほか、ダッシュボード等上に載置されるクレイドルによって車両１内に着脱自在に配設される電子機器を含み、また、単に車両１内に持ち込まれて車両１内で動作させる電子機器を含み、スマートフォンと称される高機能携帯電話を含む。車載電子機器２０は後述する制御部３００と電気的に接続され、制御部３００から受信した制御信号に従って動作する。また、表示装置５００の後述する表示領域には、車載電子機器２０の動作に対応した画像が表示される。
【００２４】
（操作装置１０００の構成）
操作装置１０００は、第１の入力装置１００と、第２の入力装置２００と、制御部３００と、記憶部４００と、表示装置５００と、を備える。
【００２５】
図３は、第１の入力装置１００を示す正面図及び断面図である。第１の入力装置１００は、図３（ａ）及び（ｂ）に示すように、接触センサ１１０と、スイッチ装置１２０と、を備える。
【００２６】
接触センサ１１０は、ユーザが、親指等でその操作面上を触れる操作（以下、タッチ操作と言う）あるいは所定の軌跡を描くようになぞる操作（以下、ジェスチャ操作と言う）を行った際に、後述する制御部３００の制御のもと、親指等が操作面に触れた位置を検出するタッチパッド装置であり、表面カバー１１１と、センサシート（センサ部）１１２と、スペーサ１１３と、を備える。
【００２７】
表面カバー１１１は、合成樹脂等の遮光性の絶縁材料からシート状に形成され、タッチ操作あるいはジェスチャ操作が行われる際に、ユーザの指等が触れる操作面１１１ａと、操作面１１１ａの周縁に位置し、図示しないケース等に覆われてユーザの指等が触れられない周縁部１１１ｂと、を有する。操作面１１１ａには、図３に示すように、段差部１１１ｃが形成されており、操作面１１１ａは、この段差部１１１ｃを基準としてそれぞれ奥行き位置の異なる、第１の操作領域Ｒ１と第２の操作領域Ｒ２とが立体的に形成されている。すなわち、段差部１１１ｃは、操作面１１１ａにおいて第１、第２の操作領域Ｒ１、Ｒ２を分割する第１の立体識別部となる。
【００２８】
第１の操作領域Ｒ１は、操作面１１１ａのうち段差部１１１ｃを基準として下側に位置する操作領域であり、操作面１１１ａの平面状の部分である平面部１１１ｄと、第１の操作領域Ｒ１の略中央に位置し、平面部１１１ｄから裏側方向に沈むように円状に窪んだ窪み部１１１ｅと、を有する。なお、「表側」とは、図３（ｂ）の両端矢印で示すように、第１の入力装置１００に対してユーザ側をいい、「裏側」とは、その反対側をいうものとする。
【００２９】
第２の操作領域Ｒ２は、操作面１１１ａのうち段差部１１１ｃを基準として上側に位置する操作領域であり、平面部１１１ｄから表側方向に盛り上がるように隆起する隆起部１１１ｆを有する。すなわち、第２の操作領域Ｒ２は、第１の操作領域Ｒ１よりも表側方向に位置することとなる。
【００３０】
センサシート１１２は、指等の被検出体の位置を検出するための複数のセンサ１１２０（検出電極）を有する投影静電容量方式のセンサシートであり、表面カバー１１１の裏面側に位置する。なお、センサ１１２０は半透明材料からなり、センサシート１１２は光透過性である。
【００３１】
センサシート１１２は、図４に示すように、Ｘ方向における被検出体の位置を検出するための第１のセンサ列１１２ａを有する層と、Ｙ方向における被検出体の位置を検出するための第２のセンサ列１１２ｂを有する層を重ね合わせて概略構成されている。第１のセンサ列１１２ａと第２のセンサ列１１２ｂが合わさることにより、結果的に、センサシート１１２には、センサ１１２０がマトリックス状に配置されることになる。第１のセンサ列１１２ａと第２のセンサ列１１２ｂは、各々、後述する制御部３００と電気的に接続されている。
【００３２】
表面カバー１１１に指等の被検出体が触れると、その裏面側に位置するセンサ１１２０と被検出体との間の静電容量が変化する。制御部３００と各センサ１１２０とは電気的に接続されているので、制御部３００は、各センサにおける静電容量の変化を検出できる。制御部３００は、この静電容量の変化に基づいて、被検出体の接触位置を示す入力座標値（Ｘ，Ｙ）を算出する。入力座標値は、操作面上に予め設定されている、各センサ１１２０におけるＸＹ座標系における座標値である。入力座標値は、Ｘ方向における静電容量の変化の分布の重心位置（例えば、静電容量が一定の閾値よりも高くかつ最も大きいセンサ１１２０の位置）に割り当てられているＸ座標と、Ｙ方向における静電容量の変化の分布の重心位置（例えば、静電容量が一定の閾値よりも高くかつ最も大きいセンサ１１２０の位置）に割り当てられているＹ座標と、によって表される。制御部３００は、このＸ座標及びＹ座標を算出することによって入力座標値（Ｘ，Ｙ）を算出する。
【００３３】
図３に戻って、センサシート１１２は、絞り加工により表面カバー１１１と一体成形されることで、表面カバー１１１と同様の形状に加工される（図３（ｂ）参照）。このように一体成形されることで、表面カバー１１１とセンサシート１１２は、一枚のシートのようになり、操作面が有する段差部１１１ｃ、平面部１１１ｄ、窪み部１１１ｅ、隆起部１１１ｆ等の段差形状は、その一枚のシートの曲がった部分で構成されることになる。また、このように一体成形されることで、表面カバー１１１の裏面とセンサシート１１２の表面とが当接する。これにより、表面カバー１１１の段差形状に対応して、センサ１１２０が配置されることになる。このようにセンサ１１２０が配置されているため、段差部１１１ｃ等の段差形状を有した操作面上で行われたジェスチャ操作であっても、制御部３００は、各センサにおける静電容量の変化を検出できる。
【００３４】
スペーサ１１３は、センサシート１１２の裏面側に位置し、図３（ｂ）に示すように、一体成形された表面カバー１１１とセンサシート１１２の形状に合わせて形成され、ユーザの操作により表面カバー１１１の表側から押圧が加わった際にこれらの形状を保持する部材である。
【００３５】
スイッチ装置１２０は、接触センサ１１０の裏面側に位置し、制御部３００と電気的に接続される。ユーザが第１の入力装置１００の操作面を押下する操作（以下、押下操作という）を行うと、スイッチ装置１２０は押され、所定の入力信号を制御部３００に送信する。押下操作は、第１の入力装置１００の操作面に対するタッチ操作あるいはジェスチャ操作による制御とは異なる制御を実行させる際になされる。
【００３６】
ここで、第１の入力装置１００は、ステアリング１０の本体部１１に、例えば、接触センサ１１０の図示しないケースが本体部１１と軟質樹脂で溶着されることにより、取り付けられる。このように取り付けられることにより、ユーザが操作面を押下すると、接触センサ１１０が沈み、スイッチ装置１２０が押される仕組みとなっている。
【００３７】
以上の各部により、第１の入力装置１００は構成される。
【００３８】
図５は、第２の入力装置２００を示す正面図及び断面図である。第２の入力装置２００は、第１の入力装置１００と同様の構成であり、接触センサ２１０とスイッチ装置２２０とを備える。
【００３９】
接触センサ２１０は、接触センサ１１０と同様のタッチパッド装置であり、表面カバー２１１と、センサシート２１２と、スペーサ２１３と、を備える。
【００４０】
表面カバー２１１は、合成樹脂等の遮光性の絶縁材料からシート状に形成され、タッチ操作あるいはジェスチャ操作が行われる際に、ユーザの指等が触れる操作面２１１ａと、操作面２１１ａの周縁に位置し、図示しないケース等に覆われてユーザの指等が触れられない周縁部２１１ｂと、を有する。操作面２１１ａは、図５に示すように、全体が周縁部２１１ｂから表側に隆起し、また、段差部２１１ｃが形成されている。そして操作面２１１ａは、この段差部２１１ｃを基準としてそれぞれ奥行き位置の異なる、第３の操作領域Ｒ３と第４の操作領域Ｒ４とに分割される。すなわち、段差部２１１ｃは、操作面２１１ａにおいて第３、第４の操作領域Ｒ３、Ｒ４を分割する第１の立体識別部となる。
【００４１】
第３の操作領域Ｒ３は、操作面２１１ａのうち段差部２１１ｃを基準として下側に位置する操作領域であり、操作面２１１ａの平面状の部分である平面部２１１ｄと、第３の操作領域Ｒ３の略中央に位置し、平面部２１１ｄから裏側方向に沈むように円状に窪んだ窪み部２１１ｅと、を有する。なお、「表側」とは、図５（ｂ）の両端矢印で示すように、第２の入力装置２００に対してユーザ側をいい、「裏側」とは、その反対側をいうものとする。
【００４２】
第４の操作領域Ｒ４は、操作面２１１ａのうち段差部２１１ｃを基準として上側に位置する操作領域であり、平面部２１１ｄから表側方向に盛り上がるように隆起する隆起部２１１ｆを有する。すなわち、第４の操作領域Ｒ４は、第３の操作領域Ｒ３よりも表側方向に位置することとなる。
【００４３】
センサシート２１２は、センサシート１１２と同様に、指等の被検出体の位置を検出するための複数のセンサ（検出電極）を有する投影静電容量方式のセンサシートであり、表面カバー２１１の裏面側に位置する。なお、センサは半透明材料からなり、センサシート２１２は光透過性である。
【００４４】
スペーサ２１３は、センサシート２１２の裏面側に位置し、図５（ｂ）に示すように、一体成形された表面カバー２１１とセンサシート２１２の形状に合わせて形成され、ユーザの操作により表面カバー２１１の表側から押圧が加わった際にこれらの形状を保持する部材である。
【００４５】
スイッチ装置２２０は、接触センサ２１０の裏面側に位置し、制御部３００と電気的に接続される。ユーザが第２の入力装置２００の操作面を押下する操作（以下、押下操作という）を行うと、スイッチ装置２２０は押され、所定の入力信号を制御部３００に送信する。押下操作は、第２の入力装置２００の操作面に対するタッチ操作あるいはジェスチャ操作による制御とは異なる制御を実行させる際になされる。
【００４６】
以上の各部により、第２の入力装置２００は構成される。
【００４７】
図１に戻って、制御部３００は、ＣＰＵ（Central  Processing  Unit）等から構成され、記憶部４００に格納されている動作プログラムを実行して、各種の処理や制御を行う。制御部３００は、その少なくとも一部が、ＡＳＩＣ（Application  Specific  Integrated  Circuit）等の各種専用回路によって構成されてもよい。
【００４８】
記憶部４００は、ＲＯＭ（Read  Only  Memory）、ＲＡＭ（Random  Access  Memory）、フラッシュメモリ等から構成され、制御部３００を構成するＣＰＵのワークエリア、ＣＰＵが実行する動作プログラムを記憶するプログラムエリア、データエリア等として機能する。
【００４９】
プログラムエリアには、後述する車載電子機器制御処理を実行するためのプログラム、表示装置制御処理を実行するためのプログラム等の動作プログラムが記憶される。
【００５０】
データエリアには、仮想操作領域、実行条件、対応動作データ、画像データ等が予め記憶されている。
【００５１】
仮想操作領域は、第１、第２の入力装置１００、２００の操作面を仮想的に分割して設定される領域であり、本実施形態においては、主として操作面１１１ａ、２１１ａを段差部１１１ｃ、２１１ｃを基準として上下に分割してなる操作領域Ｒ１〜Ｒ４が設定される。仮想操作領域としては、この他に窪み部１１１ｅ、２１１ｅを示す領域を含むものであってもよい。
【００５２】
実行条件は、各仮想操作領域において制御信号を車載電子機器２０に送信する、すなわち、車載電子機器２０の制御を実行するトリガーの役割となるデータである。実行条件は複数あり、各仮想操作領域によって異なる条件が対応付けられている。本実施形態においては、実行条件は、特定の軌跡であるか否かの条件、所定の仮想操作領域に接触したか否かの条件、押下操作が検出されたか否かの条件、を含む。また、実行条件は各仮想操作領域毎に複数設定することができ、例えば特定の軌跡であるか否かの条件と押下操作が検出されたか否かの条件とが同じ仮想操作領域に対して設定されてもよい。「特定の軌跡」とは、例えば隆起部１１１ｆ、２１１ｆに沿った略円弧状の軌跡などが上げられる。
【００５３】
対応動作データは、車載電子機器２０に所定の動作を実行させる制御信号のデータである。対応動作データは複数あり、その各々が仮想操作領域及び実行条件と対応付けられている。すなわち、操作装置１０００は、ユーザが接触する操作面の位置とジェスチャ操作のパターンとの組み合わせによって、車載電子機器２０に複数の異なる制御を実行することが可能となっている。
【００５４】
画像データは、表示装置５００に所定の表示画像を表示させる画像信号のデータである。制御部３００は、第１、第２の入力装置１００、２００に対する操作やこの操作に応じた車載電子機器２０の所定の動作に基づいて、表示装置５００に表示させる表示画像を更新する制御を行う。
【００５５】
なお、記憶部４００に格納される各データは、既知のデータ登録手法を用いて、デフォルト値として或いはユーザ自身の操作により適宜格納される。
【００５６】
図６は、表示装置５００を示す斜視図である。表示装置５００は、ユーザの正面であってステアリング１０の上方に配置され、プロジェクタ（投射型表示器）５１０と、ミラー５２０と、第１のスクリーン５３０と、第２のスクリーン５４０と、第３のスクリーン５５０と、第４のスクリーン５６０と、第５のスクリーン５７０と、スクリーンホルダ５８０と、を備える。
【００５７】
プロジェクタ５１０は、表示画像を示す表示光Ｌを第１〜第５のスクリーン５３０〜５７０に向けて出射するものであり、例えば光源からの光を液晶パネルを透過させて表示光Ｌを形成する液晶プロジェクタからなる。なお、プロジェクタ５１０は複数であってよい。
【００５８】
ミラー５２０は、例えばポリカーボネートなどの樹脂材料に例えばアルミニウムなどの金属を蒸着させて反射面を形成してなる反射部材である。プロジェクタ５１０から出射された表示光Ｌは、ミラー５２０を反射し、第１〜第５のスクリーン５３０〜５７０に投影される。
【００５９】
第１〜第５のスクリーン５３０〜５７０は、プロジェクタ５１０から出射された表示光Ｌが投影されてそれぞれ表示画像を映し出す（表示する）表示領域を構成するものである。本実施形態において、第１〜第５のスクリーン５３０〜５７０は、表示光Ｌを反射して表示画像を表示する反射スクリーンであり、平面、曲面、球面あるいはこれらの組み合わせからなる立体形状からなる。
第１のスクリーン５３０は、中央に位置するスクリーンであり、表示画像として例えば車速、エンジン回転数、残燃料、電力量、走行距離などの車両情報やナビゲーション情報などを表示する第１の表示領域を構成する。
第２のスクリーン５４０は、ユーザ側から見て右側下方に位置するスクリーンであり、後述するように、第１の入力装置１００の第１の操作領域Ｒ１と連携し、表示画像として第１の操作領域Ｒ１の操作あるいはこの操作に伴う車載電子機器２０の動作に関する情報を表示する第２の表示領域を構成する。
第３のスクリーン５５０は、ユーザ側から見て右側上方に位置するスクリーンであり、表示画像として各種インジケータやワーニングを表示するほか、後述するように、第１の入力装置１００の第２の操作領域Ｒ２と連携し、表示画像として第２の操作領域Ｒ２の操作あるいはこの操作に伴う車載電子機器２０の動作に関する情報を表示する第３の表示領域を構成する。
第４のスクリーン５６０は、ユーザ側から見て左側下方に位置するスクリーンであり、後述するように、第２の入力装置２００の第３の操作領域Ｒ３と連携し、表示画像として第３の操作領域Ｒ３の操作あるいはこの操作に伴う車載電子機器２０の動作に関する情報を表示する第４の表示領域を構成する。
第５のスクリーン５７０は、ユーザ側から見て左側上方に位置するスクリーンであり、表示画像として各種インジケータやワーニングを表示するほか、後述するように、第２の入力装置１００の第４の操作領域Ｒ４と連携し、第４の操作領域Ｒ４の操作あるいはこの操作に伴う車載電子機器２０の動作に関する情報を表示する第５の表示領域を構成する。
第１〜第５スクリーン５３０〜５７０は、スクリーンホルダ５８０の段差が設けられ奥行き方向の位置が異なる複数の保持面にそれぞれ保持されることで、立体的に、すなわち、空間を隔てて奥行き方向の位置が異なるように配置される。具体的には、第１のスクリーン５３０に対して第２、第４のスクリーン５４０、５６０が空間を隔てて一段表側（ユーザ側）に位置し、第３、第５のスクリーン５５０、５７０が第２、第４のスクリーン５４０、５６０に対してさらに一段表側に位置するように配置される。これにより、第１のスクリーン５３０に表示される表示画像と、第２、第４のスクリーン５４０、５６０に表示される表示画像と、第３、第５のスクリーン５５０、５７０に表示される表示画像と、は奥行きが異なり、立体感のある表示が可能となる。
【００６０】
スクリーンホルダ５８０は、例えば合成樹脂からなり、熱収縮が起こらない粘着材（図示しない）を介して第１〜第５のスクリーン５３０〜５７０を所定位置に保持する板状部材である。なお、第１〜第５のスクリーン５３０〜５７０はベゼルなどの枠状部材によって固定してもよい。また、スクリーンホルダ５８０の第１〜第５のスクリーン５３０〜５７０を保持する保持面には、第１〜第５のスクリーン５３０〜５７０を分割するように段差部５８１〜５８４が形成されている。
【００６１】
次に、第１、第２の入力装置１００、２００の操作領域Ｒ１〜Ｒ４と表示装置５００の表示領域との連携について説明する。
【００６２】
図７は、第１の入力装置１００の第１の操作領域Ｒ１に対するジェスチャ操作ＯＰ１と、これに伴って更新（切り換え）される表示装置５００の第２のスクリーン５４０の表示画像を示す図である。第２のスクリーン５４０には、初期画面の表示画像として運転情報である外気温（図７では「OUTSIDE  TEMP」と表記）と走行可能距離（図７では「DISTANCE  TO  EMPTY」と表記）とが表示されている。ここで、第１の入力装置１００の第１の操作領域Ｒ１は、第１の入力装置１００の上方に配置される第２のスクリーン５４０の形状と略相似する形状からなり、第１の操作領域Ｒ１と第２のスクリーン５４０との対応づけが行われている。なお、「略相似」とは完全な相似のほか、両者を比較した場合に似た形状であると認識できる程度に形状が近い場合も含まれる。ユーザは、立体的に配置される第２のスクリーン５４０の形状を視認することで第１の操作領域Ｒ１の形状を把握し、視覚を通じて把握した操作面１１１ａの立体形状を段差部１１１ｃ等に指先で触れて触覚を通じて感じることで、直感的に第１の操作領域Ｒ１にジェスチャ操作等を行うことができる。第２のスクリーン５４０が立体的に配置されていることで、ユーザはその形状を視認しやすく、さらに第１の操作領域Ｒ１の立体形状を触覚によって感じとることができ、ユーザが操作面１１１ａを見ることなく直感的にジェスチャ操作等を行うことができる。第１の操作領域Ｒ１に対する操作の一例として、ユーザが第１の操作領域Ｒ１をなぞるジェスチャ操作ＯＰ１を行うと、制御部３００は、プロジェクタ５１０に画像信号を送信し、ジェスチャ操作ＯＰ１の軌跡と略一致する方向（本実施形態においては右方向）及び速度で第２のスクリーン５４０の表示画像を順に切り換えて例えば車両１の右後方の風景を示す周辺画像を表示させる。第２のスクリーン５４０の表示画像が、第１の操作領域Ｒ１に対するジェスチャ操作ＯＰ１の軌跡と略一致する方向及び速度で切り換えられるため、ユーザは実際に表示画像に触れながら操作するような感覚で操作が可能となる。
【００６３】
図８は、第１の入力装置１００の第２の操作領域Ｒ２に対するタッチ操作ＯＰ２と、これに伴って更新される表示装置５００の第３のスクリーン５５０の表示画像を示す図である。また、図９は、第１の入力装置１００の第２の操作領域Ｒ２に対するジェスチャ操作ＯＰ３と、これに伴って更新される表示装置５００の第３のスクリーン５５０の表示画像を示す図である。図８に示すように、第３のスクリーン５５０には、初期画面の表示画像として方向指示器のインジケータが表示されている。ここで、第２、第３のスクリーン５４０、５５０を分割する段差部５８２は、第１、第２の操作領域Ｒ１、Ｒ２を分割する段差部１１１ｃの形状と略相似する形状に形成される。すなわち、段差部５８２は、第１の入力装置１００における第１の立体識別部である段差部１１１ｃの形状と略相似する第２の立体識別部となる。ユーザは、段差部５８２の立体形状を視認することで段差部１１１ｃによって第１の操作領域Ｒ１と分割される第２の操作領域Ｒ２の形状の一部（本実施形態では下部）と位置を把握し、視覚を通じて把握した操作面１１１ａの立体形状を段差部１１１ｃ等に指先で触れて触覚を通じて感じることで、直感的に第２の操作領域Ｒ２にジェスチャ操作等を行うことができる。段差部５８２が立体形状であるため、ユーザはその形状を視認しやすく、さらに段差部１１１ｃの立体形状を触覚によって感じることができ、ユーザが操作面１１１ａを見ることなく直感的にジェスチャ操作等を行うことができる。第２の操作領域Ｒ２に対する操作の一例として、ユーザが第２の操作領域Ｒ２に対してタッチ操作ＯＰ２を行う（タッチする）と、制御部３００は、プロジェクタ５１０に画像信号を送信し、第３のスクリーン５５０に段差部５８２に沿うような位置及び形状で、表示装置５００に表示可能なコンテンツを示すアイコン群からなるメニュー画像を表示させる。さらに、図９に示すように、ユーザが第２の操作領域Ｒ２を段差部１１１ｃに沿ってなぞるジェスチャ操作ＯＰ３を行うと、制御部３００は、ジェスチャ操作ＯＰ３の軌跡と略一致する方向（本実施形態では右上方）及び速度でアイコン群を順次スライドさせる。第３のスクリーン５５０の表示画像が、第２の操作領域Ｒ２に対するジェスチャ操作ＯＰ３の軌跡と略一致する方向及び速度で切り換えられるため、ユーザは実際に表示画像に触れながら操作するような感覚で操作が可能となる。なお、メニュー画像が表示されている状態で第２の操作領域Ｒ２に対して押下操作を行うと、選択されたコンテンツが表示画像として第２のスクリーン５４０に表示される。
【００６４】
図１０は、第２の入力装置１００の第３の操作領域Ｒ３に対するジェスチャ操作ＯＰ４と、これに伴って更新される表示装置５００の第４のスクリーン５６０の表示画像を示す図である。第４のスクリーン５６０には、初期画面の表示画像としてオーディオ操作画像が表示されている。ここで、第２の入力装置２００の第３の操作領域Ｒ３は、第２の入力装置２００の上方に配置される第４のスクリーン５６０の形状と略相似する形状からなり、第３の操作領域Ｒ３と第４のスクリーン５６０との対応づけが行われている。ユーザは、立体的に配置される第４のスクリーン５６０の形状を視認することで第３の操作領域Ｒ３の形状を把握し、視覚を通じて把握した操作面２１１ａの立体形状を段差部２１１ｃ等に指先で触れて触覚を通じて感じることによって、直感的に第３の操作領域Ｒ３にジェスチャ操作等を行うことができる。第４のスクリーン５６０が立体的に配置されていることで、ユーザはその形状を視認しやすく、さらに第３の操作領域Ｒ３の立体形状を触覚によって感じとることができ、ユーザが操作面２１１ａを見ることなく直感的にジェスチャ操作等を行うことができる。第３の操作領域Ｒ３に対する操作の一例として、第３の操作領域Ｒ３の窪み部２１１ｅ内を時計回りになぞるジェスチャ操作ＯＰ４を行うと、制御部３００は、車載電子機器２０に音量制御信号を送信して音量を変更させ、プロジェクタ５１０に画像信号を送信して音量の変更に伴って第４のスクリーン５６０の表示画像における音量表示を更新する。
【００６５】
図１１は、第２の入力装置２００の第４の操作領域Ｒ４に対するタッチ操作ＯＰ５と、これに伴って更新される表示装置５００の第５のスクリーン５７０の表示画像を示す図である。また、図１２は、第２の入力装置２００の第４の操作領域Ｒ４に対するジェスチャ操作ＯＰ６と、これに伴って更新される表示装置５００の第５のスクリーン５７０の表示画像を示す図である。図１１に示すように、第５のスクリーン５７０には、初期画面の表示画像として方向指示器のインジケータが表示されている。ここで、第４、第５のスクリーン５６０、５７０を分割する段差部５８４は、第３、第４の操作領域Ｒ３、Ｒ４を分割する段差部２１１ｃの形状と略相似する形状に形成される。すなわち、段差部５８４は、第２の入力装置２００における第１の立体識別部である段差部２１１ｃの形状と略相似する第２の立体識別部となる。ユーザは、段差部５８４の立体形状を視認することで段差部２１１ｃによって第３の操作領域Ｒ３と分割される第４の操作領域Ｒ４の形状の一部（本実施形態では下部）と位置を把握し、視覚を通じて把握した操作面２１１ａの立体形状を段差部２１１ｃ等に指先で触れて触覚を通じて感じることによって、直感的に第４の操作領域Ｒ４にジェスチャ操作等を行うことができる。段差部５８４が立体形状であるため、ユーザはその形状を視認しやすく、さらに段差部２１１ｃの立体形状を触覚によって感じることができ、ユーザが操作面２１１ａを見ることなく直感的にジェスチャ操作等を行うことができる。第４の操作領域Ｒ４に対する操作の一例として、ユーザが第４の操作領域Ｒ４に対してタッチ操作ＯＰ５を行う（タッチする）と、制御部３００は、プロジェクタ５１０に画像信号を送信して、第５のスクリーン５７０に段差部５８４に沿うような位置及び形状で、車載電子機器２０の機能を示すアイコン群からなるメニュー画像を表示させる。さらに、図１２に示すように、ユーザが第４の操作領域Ｒ４を段差部２１１ｃに沿ってなぞるジェスチャ操作ＯＰ６を行うと、制御部３００は、ジェスチャ操作ＯＰ６の軌跡と略一致する方向（本実施形態では左上方）と速度でアイコン群を順次スライドさせる。第５のスクリーン５７０の表示画像が、第４の操作領域Ｒ４に対するジェスチャ操作ＯＰ６の軌跡と略一致する方向及び速度で切り換えられるため、ユーザは実際に表示画像に触れながら操作するような感覚で操作が可能となる。なお、メニュー画像が表示されている状態で第４の操作領域Ｒ４に対して押下操作を行うと、選択された機能が実行される。
【００６６】
本実施形態に係る操作装置１０００は、複数の操作領域Ｒ１、Ｒ２を有する操作面１１１ａと、操作面１１１ａに対する被検出体の接触位置を検出可能なセンサシート（センサ部）１１２と、を備える第１の入力装置（入力手段）１００と、複数の操作領域Ｒ３、Ｒ４を有する操作面２１１ａと、操作面２１１ａに対する被検出体の接触位置を検出可能なセンサシート（センサ部）２１２と、を備える第２の入力装置（入力手段）２００と、
複数のスクリーン（表示領域）５３０〜５７０を備える表示装置（表示手段）５００と、
センサシート１１２、２１２が検出した前記被検出体の接触位置に基づいて、所定の車載電子機器２０を制御し、また、複数のスクリーン５３０〜５７０の少なくとも１つに表示される画像を切り換える制御部（制御手段）３００と、を備え、
複数のスクリーン５３０〜５７０は立体的に配置され、
複数の操作領域Ｒ１、Ｒ２及びＲ３、Ｒ４は立体的に形成され、
第１の操作領域Ｒ１及び第３の操作領域Ｒ３は、それぞれ第２のスクリーン５４０及び第４のスクリーン５６０の形状と略相似する形状からなるものである。
これによれば、ユーザは操作面１１１ａ、２１１ａを見ることなく直感的にジェスチャ操作等を行うことが可能となる。
【００６７】
また、本実施形態に係る操作装置１０００は、複数の操作領域Ｒ１、Ｒ２を有する操作面１１１ａと、操作面１１１ａに対する被検出体の接触位置を検出可能なセンサシート（センサ部）１１２と、を備える第１の入力装置（入力手段）１００と、複数の操作領域Ｒ３、Ｒ４を有する操作面２１１ａと、操作面２１１ａに対する被検出体の接触位置を検出可能なセンサシート（センサ部）２１２と、を備える第２の入力装置（入力手段）２００と、
複数のスクリーン（表示領域）５３０〜５７０を備える表示装置（表示手段）５００と、
センサシート１１２、２１２が検出した前記被検出体の接触位置に基づいて、所定の車載電子機器２０を制御し、また、複数のスクリーン５３０〜５７０の少なくとも１つに表示される画像を切り換える制御部（制御手段）３００と、を備え、
複数のスクリーン５３０〜５７０は立体的に配置され、
複数の操作領域Ｒ１、Ｒ２及びＲ３、Ｒ４は立体的に形成され、
操作面１１１ａに形成され操作領域Ｒ１、Ｒ２を分割する段差部（第１の立体識別部）１１１ｄと操作面２１１ａに形成され操作領域Ｒ３、Ｒ４を分割する段差部（第１の立体識別部）２１１ｃとは、それぞれ第２のスクリーン５４０と第３のスクリーン５５０を分割する段差部（第２の立体識別部）５８２の形状と第４のスクリーン５６０と第５のスクリーン５７０とを分割する段差部（第２の立体識別部）５８４の形状と略相似する形状からなるものである。
これによれば、ユーザは操作面１１１ａ、２１１ａを見ることなく直感的にジェスチャ操作等を行うことが可能となる。
【００６８】
また、第１、第２の入力装置１００、２００はステアリング１０に搭載され、スクリーン５３０〜５７０は、第１、第２の入力装置１００、２００の上方に配置され、
第１の操作領域Ｒ１及び第３の操作領域Ｒ３は、その上方に位置する第２のスクリーン５４０及び第４のスクリーン５６０と略相似する形状からなるものである。
これによれば、対応づけられた操作領域Ｒ１、Ｒ３とスクリーン５４０、５６０との左右方向の位置が略一致するため、スクリーン５４０、５６０を見ながらより違和感なく操作面１１１ａ、２１１ａに対する操作を行うことができる。
【００６９】
また、第１、第２の入力装置１００、２００はステアリング１０に搭載され、スクリーン５３０〜５７０は、第１、第２の入力装置１００、２００の上方に配置され、
段差部１１１ｃ、２１１ｃは、その上方に位置する段差部５８２、５８４の形状と略相似する形状からなるものである。
これによれば、対応づけられた段差部１１１ｃ、２１１ｃと段差部５８２、５８４との左右方向の位置が略一致するため、段差部５８２、５８４を見ながらより違和感なく操作面１１１ａ、２１１ａに対する操作を行うことができる。
【００７０】
また、表示装置５００は、表示光Ｌを発するプロジェクタ（投射型表示器）５１０と、複数の表示領域を構成し、表示光Ｌが投影されて画像を表示する複数のスクリーン５３０〜５７０と、を備えてなるものである。
これによれば、スクリーン５３０〜５７０を用いて容易に立体的に配置された複数の表示領域を得ることができる。
【００７１】
また、制御部３００は、センサシート１１２、２１２が検出した被検出体の軌跡と略一致する方向及び速度で表示画像を切り換えるものである。これによれば、ユーザは表示画像を直接触れているような感覚で操作することができ、直感的な操作が可能となる。
【００７２】
本発明は、上記の実施形態に限定されるものではなく、その要旨を逸脱しない範囲内で適宜、変更（構成要素の削除も含む）等が可能であることはもちろんである。本実施形態においては入力手段として２つの入力装置１００、２００を備える構成であったが、１つの入力手段を備えるものであってもよい。また、操作領域は３つ以上形成されるものであってもよい。また、１つの入力手段における２つ以上の操作領域の形状が、表示領域のいずれかと略相似する形状からなるものであってもよい。また、表示領域の形状を強調するように、各表示領域の周縁部にグラデーションや模様等の強調画像を表示しても良く、表示領域の形状をより明確に視認することができる。
【００７３】
また、複数の操作領域は、印刷や塗料の塗り分け、レーザ等による表面加工等の手段によってそれぞれ異なる触感となるように形成されてもよく、触れた操作領域の相違を指先等でより容易に感じ取ることができ、直感的な操作を行うのにさらに好適である。また、その場合、操作領域の触感を想起させる背景画像を対応づけられた（その操作に応じて表示画像が更新され、形状が略相似する）表示領域に表示しても良く、視覚によって操作領域の表面触感を把握し、操作面に触れながら操作領域の表面触感を触覚によって感じることで、直感的に操作を行うことができさらに好適である。例えば、摩擦抵抗の少ない（ツルツルした）触感の操作領域について、これと対応づけられる表示領域にその触感を想起させる金属調などの光沢のある背景画像を表示させる。または、摩擦抵抗の多い（ザラザラした）触感の操作領域について、これと対応付けられる表示領域にその触感を想起させる凹凸を含む背景画像を表示させる。また、複数の表示領域をスクリーンで構成する場合は、操作領域の触感を想起させるような質感となるように各スクリーンを形成してもよい。例えば、材質や表面加工によって摩擦抵抗の少ない（ツルツルした）触感の操作領域について、これと対応づけられるスクリーンをその触感を想起させる凹凸のない質感で形成する。または、摩擦抵抗の多い（ザラザラした）触感の操作領域について、これと対応付けられるスクリーンをその触感を想起させる凹凸を含む質感で形成する。
【００７４】
図１３及び１４は、本発明の他の実施形態の一例を示すものである。
他の実施形態である操作装置１０００は、第１、第２の入力装置１００、２００の第２の操作領域Ｒ２及び第４の操作領域Ｒ４の表面に、これら操作領域Ｒ２及びＲ４とそれぞれ連携する第３のスクリーン５５０及び第５のスクリーン５７０の特徴的な形状の一部を模した第１、第２の意匠部１３０、２３０を形成してなる。なお、本実施形態においては、第１、第２の意匠部１３０、２３０は、表面カバー１１１、２１１の第２の操作領域Ｒ２及び第４の操作領域Ｒ４に対応する個所にそれぞれ印刷形成されてなる。また、「模した」とは表示領域であるスクリーンの一部の形状を簡略化、単純化し、両者を比較した場合に似た形状であると認識できる程度に近い形状とすることを言い、同一形状である場合も含む。
【００７５】
第１の意匠部１３０は、図１３に示すように第３のスクリーン５５０の形状の一部として下部の曲線形状を模した曲線形状の意匠である。また、第２の意匠部２３０は、図１４に示すように第５のスクリーン５７０の形状の一部として下部の曲線形状を模した曲線形状の意匠である。ユーザは、第３のスクリーン５５０、第５のスクリーン５７０の特徴的な形状の一部（下部）とこれらを模した第１、第２の意匠１３０、２３０とを視認することによって、操作装置１０００が初見である場合など操作に不慣れな場合であっても、一見して第３のスクリーン５５０及び第５のスクリーン５７０と第２の操作領域Ｒ４及び第４の操作領域Ｒ４との連携関係を把握することができる。
【００７６】
また、図１３に示すように、ユーザが第２の操作領域Ｒ２に対してタッチ操作ＯＰ２を行う（タッチする）と、制御部３００は、プロジェクタ５１０に画像信号を送信し、第３のスクリーン５５０に段差部５８２に沿うような位置及び形状で、表示可能なコンテンツを示すアイコン群からなるメニュー画像を表示させる。また、このとき、制御部３００は、被検出体である指等が接触した第２の操作領域Ｒ２と連携する第３のスクリーン５５０を強調する強調画像を表示させる。強調画像の一例として、本実施形態では背景として通常時と色の異なる着色背景画像を第３のスクリーン５５０全体に表示する。強調画像は、表示領域を強調するものであればよく、各表示領域の周縁部に囲み線やグラデーションや模様等を表示しても良い。同様に、図１４に示すように、ユーザが第４の操作領域Ｒ４に対してタッチ操作ＯＰ５を行う（タッチする）と、制御部３００は、プロジェクタ５１０に画像信号に送信し、第５のスクリーン５７０に段差部５８４に沿うような位置及び形状で、車載電子機器２０の機能を示すアイコン群からなるメニュー画像を表示させる。また、このとき、制御部３００は、被検出体である指等が接触した第４の操作領域Ｒ４と連携する第５のスクリーン５７０を強調する強調画像を表示させる。強調画像の一例として、本実施形態では背景として通常時と色の異なる着色背景画像を第５のスクリーン５７０全体に表示する。なお、図示しないが、ユーザの指等が第１の操作領域Ｒ１あるいは第３の操作領域Ｒ３に接触した場合は、これら操作領域Ｒ１あるいはＲ３と連携する第２のスクリーン５４０あるいは第４のスクリーン５６０にこれらスクリーン５４０あるいは５６０を強調する強調画像が表示される。ユーザは、強調画像によって、操作領域Ｒ１〜Ｒ４に接触した時点で、所望の操作領域Ｒ１〜Ｒ４に接触したか否かを把握することができ、操作性を向上させることができる。
【００７７】
本実施形態における操作装置１０００は、複数の操作領域Ｒ１、Ｒ２及びＲ３、Ｒ４のうち第２の操作領域Ｒ２及び第３の操作領域Ｒ３は、その表面に複数のスクリーン５３０〜５７０のうちそれぞれ第３のスクリーン５５０及び第５のスクリーン５７０の形状の一部を模した第一、第二の意匠部１３０、２３０が形成されてなることを特徴とする。
これによれば、操作装置１０００が初見である場合など操作に不慣れな場合であっても、一見して第３のスクリーン５５０及び第５のスクリーン５７０と第２の操作領域Ｒ４及び第４の操作領域Ｒ４との連携関係を把握することができる。
【００７８】
また、制御部３００は、センサシート１１２、２１２が検出した前記被検出体の接触位置に基づいて、前記被検出体が接触した操作領域Ｒ１、Ｒ２及びＲ３、Ｒ４と連携するスクリーン５４０〜５７０を強調する強調画像を表示装置５００に表示させることを特徴とする。
これによれば、操作領域Ｒ１〜Ｒ４に接触した時点で、所望の操作領域Ｒ１〜Ｒ４に接触したか否かを把握することができ、操作性を向上させることができる。
【００７９】
図１５及び１６は、本発明の他の実施形態の一例を示すものである。
他の実施形態である操作装置１０００は、表示装置５００が、第３のスクリーン５５０及び第５のスクリーン５７０に前記表示画像として所定形状のアイコン画像ＩＣ１〜ＩＣ４及びＩＣ５〜ＩＣ８を表示し、第１、第２の入力装置１００、２００の第２の操作領域Ｒ２及び第４の操作領域Ｒ４に、アイコン画像ＩＣ１〜ＩＣ４及びＩＣ５〜ＩＣ８と略相似する立体的な形状からなるアイコン操作部１１１ｇ〜１１１ｊ及び２１１ｇ〜２１１ｊがそれぞれ形成されてなる。
【００８０】
第３のスクリーン５５０に表示されるアイコン画像ＩＣ１〜ＩＣ４は、図１５に示すように円形状であり、表示装置５００に表示可能なコンテンツをそれぞれ示すものであって、段差部５８２に沿うように表示されて全体として表示するコンテンツを選択するメニュー画像を構成するものである。第２の操作領域Ｒ２に形成されるアイコン操作部１１１ｇ〜１１１ｊは、それぞれアイコン画像ＩＣ１〜ＩＣ４と略相似する凸形状からなり、アイコン画像ＩＣ１〜ＩＣ４と同様の位置関係となるように段差部１１１ｃに沿うように形成される。アイコン画像ＩＣ１〜ＩＣ４は、それぞれアイコン操作部１１１ｇ〜１１１ｊに対するタッチ操作に伴って選択状態あるいは非選択状態が切り換えられるものであり、アイコン操作部１１１ｇ〜１１１ｊと１対１で連携するものである。すなわち、図１５に示すように、ユーザがアイコン操作部１１１ｊに対してタッチ操作ＯＰ７を行う（タッチする）と、制御部３００は、プロジェクタ５１０に画像信号を送信し、第３のスクリーン５５０に表示されアイコン操作部１１１ｊと連携するアイコン画像ＩＣ４を選択状態とする。なお、本実施形態においては、選択状態となったアイコン画像ＩＣ４をネガポジ反転して表示している。アイコン画像ＩＣ４が選択状態であるときに第２の操作領域Ｒ２に対して押下操作を行うと、選択状態であったアイコン画像ＩＣ４に対応するコンテンツが表示画像として第２のスクリーン５４０に表示される。なお、図示しないがアイコン操作部１１１ｇ〜１１１ｈがタッチ操作された場合は、それぞれに対応するアイコン画像ＩＣ１〜ＩＣ３が選択状態となる。ユーザは、視覚を通じて把握されるアイコン画像ＩＣ１〜ＩＣ４の形状をアイコン操作部１１１ｇ〜１１１ｊに指先で触れて触覚を通じて感じることによって、実際にアイコン画像５５０ａ〜５５０ｄに触れながら操作するような感覚で操作が可能となる。なお、アイコン操作部１１１ｇ〜１１１ｊは、アイコン画像ＩＣ１〜ＩＣ４と略相似する凹形状からなるものであってもよい。
【００８１】
第５のスクリーン５７０に表示されるアイコン画像ＩＣ５〜ＩＣ８は、図１６に示すように円形状であり、車載電子機器２０の機能をそれぞれ示すものであって、段差部５８４に沿うように表示されて全体として車載電子機器２０の機能を選択するメニュー画像を構成するものである。第４の操作領域Ｒ４に形成されるアイコン操作部２１１ｇ〜２１１ｊは、それぞれアイコン画像ＩＣ５〜ＩＣ８と略相似する凸形状からなり、アイコン画像ＩＣ５〜ＩＣ８と同様の位置関係となるように段差部２１１ｃに沿うように形成される。アイコン画像ＩＣ５〜ＩＣ８は、それぞれアイコン操作部２１１ｇ〜２１１ｊに対するタッチ操作に伴って選択状態あるいは非選択状態が切り換えられるものであり、アイコン操作部２１１ｇ〜２１１ｊと１対１で連携するものである。すなわち、図１６に示すように、ユーザがアイコン操作部２１１ｊに対してタッチ操作ＯＰ８を行う（タッチする）と、制御部３００は、プロジェクタ５１０に画像信号を送信し、第５のスクリーン５７０に表示されアイコン操作部２１１ｊと連携するアイコン画像ＩＣ８を選択状態とする。なお、本実施形態においては、選択状態となったアイコン画像ＩＣ８をネガポジ反転して表示している。アイコン画像ＩＣ８が選択状態であるときに第４の操作領域Ｒ４に対して押下操作を行うと、選択状態であったアイコン画像ＩＣ８に対応する機能が実行される。なお、図示しないがアイコン操作部２１１ｇ〜２１１ｈがタッチ操作された場合は、それぞれに対応するアイコン画像ＩＣ５〜ＩＣ７が選択状態となる。ユーザは、視覚を通じて把握されるアイコン画像ＩＣ５〜ＩＣ８の形状をアイコン操作部２１１ｇ〜２１１ｊに指先で触れて触覚を通じて感じることによって、実際にアイコン画像ＩＣ５〜ＩＣ８に触れながら操作するような感覚で操作が可能となる。なお、アイコン操作部２１１ｇ〜２１１ｊは、アイコン画像ＩＣ５〜ＩＣ８と略相似する凹形状からなるものであってもよい。
【００８２】
本実施形態における操作装置１０００は、表示装置５００は、複数のスクリーン５３０〜５７０のうち第３のスクリーン５５０及び第５のスクリーン５７０に前記表示画像として所定形状のアイコン画像ＩＣ１〜ＩＣ４及びＩＣ５〜ＩＣ８を表示し、
複数の操作領域Ｒ１〜Ｒ４のうち第２の操作領域Ｒ２及び第４の操作領域Ｒ４は、アイコン画像ＩＣ１〜ＩＣ４及びＩＣ５〜ＩＣ８と略相似する立体的な形状からなるアイコン操作部１１１ｇ〜１１１ｊ及び２１１ｇ〜２１１ｊが形成されてなるものである。
これによれば、ユーザはアイコン画像ＩＣ１〜ＩＣ４及びＩＣ５〜ＩＣ８を直接触れているような感覚で操作することができ、直感的な操作が可能となる。
【産業上の利用可能性】
【００８３】
本発明は、車両に搭載される操作装置に適用可能である。
【符号の説明】
【００８４】
１  車両
１０  ステアリング
１１  本体部
１２  ステアリングホイール
１０００  操作装置
１００  第１の入力装置（入力手段）
１１０  接触センサ
１１１  表面カバー
１１１ａ  操作面
１１１ｂ  周縁部
１１１ｃ  段差部（第１の立体識別部）
１１１ｄ  平面部
１１１ｅ  窪み部
１１１ｆ  隆起部
１１１ｇ〜１１１ｊ  アイコン操作部
１１２  センサシート（センサ部）
２００  第２の入力装置（入力手段）
２１０  接触センサ
２１１  表面カバー
２１１ａ  操作面
２１１ｂ  周縁部
２１１ｃ  段差部（第１の立体識別部）
２１１ｄ  平面部
２１１ｅ  窪み部
２１１ｆ  隆起部
２１２  センサシート（センサ部）
３００  制御部（制御手段）
４００  記憶部
５００  表示装置（表示手段）
５１０  プロジェクタ（投射型表示器）
５２０  ミラー
５３０  第１のスクリーン（表示領域）
５４０  第２のスクリーン（表示領域）
５５０  第３のスクリーン（表示領域）
５６０  第４のスクリーン（表示領域）
５７０  第５のスクリーン（表示領域）
５８０  スクリーンホルダ
５８１  段差部
５８２  段差部（第２の立体識別部）
５８３  段差部
５８４  段差部（第２の立体識別部）
Ｌ  表示光
Ｒ１  第１の操作領域（操作領域）
Ｒ２  第２の操作領域（操作領域）
Ｒ３  第３の操作領域（操作領域）
Ｒ４  第４の操作領域（操作領域）
２０  車載電子機器
ＯＰ１  ジェスチャ操作
ＯＰ２  タッチ操作
ＯＰ３  ジェスチャ操作
ＯＰ４  ジェスチャ操作
ＯＰ５  タッチ操作
ＯＰ６  ジェスチャ操作
ＯＰ７  タッチ操作
ＯＰ８  タッチ操作
【図１】
2014043232.tif 000003
【図２】
2014043232.tif 000004
【図３】
2014043232.tif 000005
【図４】
2014043232.tif 000006
【図５】
2014043232.tif 000007
【図６】
2014043232.tif 000008
【図７】
2014043232.tif 000009
【図８】
2014043232.tif 000010
【図９】
2014043232.tif 000011
【図１０】
2014043232.tif 000012
【図１１】
2014043232.tif 000013
【図１２】
2014043232.tif 000014
【図１３】
2014043232.tif 000015
【図１４】
2014043232.tif 000016
【図１５】
2014043232.tif 000017
【図１６】
2014043232.tif 000018